(57)【要約】【課題】電力が限られる状況で認証処理を行う場合であっても、データ通信を高速に行えるようにする。【解決手段】携帯無線装置１１は、電力を無線で受信する電力受信部２と、受信した電力を用いて認証処理のための情報送信、待機処理、情報受信および内部処理を順繰りに行う第１通信部３と、受信した電力を用いて認証処理中にデータ通信のための無線通信を行う第２通信部４と、第１通信部にて認証処理のための情報送信を開始してから認証処理のための情報受信が完了するまでの期間内に第２通信部にてデータ通信を行うように制御する通信制御部５と、を備える。【選択図】図１
2014053810.tif 000002
【特許請求の範囲】
【請求項１】
電力を無線で受信する電力受信部と、
受信した電力を用いて認証処理のための情報送信、待機処理、情報受信および内部処理を順繰りに行う第１通信部と、
受信した電力を用いて前記認証処理中にデータ通信のための無線通信を行う第２通信部と、
前記第１通信部にて前記認証処理のための情報送信を開始してから前記認証処理のための情報受信が完了するまでの期間内に前記第２通信部にて前記データ通信を行うように制御する通信制御部と、を備える携帯無線装置。
【請求項２】
前記通信制御部は、前記第１通信部にて前記認証処理のための情報送信が完了してから、該情報受信を開始するまでの第１期間内に前記第２通信部にて前記データ通信を行うように制御する請求項１に記載の携帯無線装置。
【請求項３】
前記通信制御部は、前記第１通信部にて前記認証処理のための情報送信を開始してから、該情報受信を開始するまでの第２期間内に前記第２通信部にて前記データ通信を行うように制御する請求項１に記載の携帯無線装置。
【請求項４】
前記通信制御部は、前記第１通信部にて前記認証処理のための情報送信が完了してから、該情報受信が完了するまでの第３期間内に前記第２通信部にて前記データ通信を行うように制御する請求項１に記載の携帯無線装置。
【請求項５】
前記通信制御部は、前記認証処理のための情報送信、待機処理および情報受信を行っている期間内に前記第２通信部にて前記データ通信を行うように制御する請求項１に記載の携帯無線装置。
【請求項６】
前記第１通信部および前記第２通信部はそれぞれ、近接配置された通信相手装置との間で近接無線通信を行うことを特徴とする請求項１乃至５のいずれかに記載の携帯無線装置。
【請求項７】
前記データ通信のための情報を記憶する記憶部と、
前記認証処理が正常に終了した後に前記第１通信部または前記第２通信部にて取得した鍵を用いて前記記憶部に記憶されている情報を復号する復号化部と、を備える請求項１乃至６のいずれに記載の携帯無線装置。
【請求項８】
前記第２通信部は、前記第１通信部よりも高速である請求項１乃至７のいずれかに記載の携帯無線装置。
【請求項９】
前記電力受信部で受信した電力を蓄積する蓄電部を備え、
前記第１および第２通信部のうち、少なくとも前記第２通信部は、前記蓄電部に蓄積された電力量が所定の基準量を超えた後に前記蓄電部から供給される電力で駆動される請求項８に記載の携帯無線装置。
【請求項１０】
電力を無線で受信するステップと、
第１通信部にて、受信した電力を用いて認証処理のための情報送信、待機処理、情報受信および内部処理を順繰りに行うステップと、
第２通信部にて、受信した電力を用いて前記認証処理中にデータ通信のための無線通信を行うステップと、
前記第１通信部にて前記認証処理のための情報送信を開始してから前記認証処理のための情報受信が完了するまでの期間内に前記第２通信部にて前記データ通信を行うように制御するステップと、を備える無線通信方法。
【発明の詳細な説明】
【技術分野】
【０００１】
本発明の実施形態は、携帯無線装置および無線通信方法に関する。
【背景技術】
【０００２】
Ｆｅｌｉｃａ（登録商標）等に対応した携帯無線装置において、近接無線通信にて認証処理を行う手法が知られている。ここで、認証処理とは、例えばある装置が特定の装置であることを確認する処理である。携帯無線装置での近接無線通信を用いた認証処理は、入場ゲートで正規の携帯無線装置を所持している人間のみの入場を許可するのに用いられたり、電子マネーの決済に用いられたりする。
【０００３】
この種の認証処理では、携帯無線装置と通信相手装置との間で複数回の通信を行うことから、例えば数百ミリ秒〜数秒の時間を要する。
【０００４】
認証処理に要する時間はできるだけ短い方が望ましい。認証処理に時間がかかると、入場ゲートの入場や料金決済などに時間がかかり、利用者の使い勝手が悪くなるためである。
【０００５】
認証処理を高速化するには、携帯無線装置に内蔵されるプロセッサや通信部等のハードウェアの処理能力を向上させることが考えられるが、ハードウェアの処理能力を向上させると、消費電力が増大してしまう。最近は、バッテリを内蔵せず、無線で受信した電力でハードウェアを駆動する携帯無線装置も普及しているが、この種の携帯無線装置では、ハードウェアの駆動に用いることができる電力は限られており、処理能力の高いハードウェアを実装するのは困難である。
【先行技術文献】
【特許文献】
【０００６】
【特許文献１】特開２００９−２１８８４５号公報
【発明の概要】
【発明が解決しようとする課題】
【０００７】
本発明の実施形態は、電力が限られる状況で認証処理を行う場合であっても、データ通信を高速に行うことが可能な携帯無線装置および無線通信方法を提供する。
【課題を解決するための手段】
【０００８】
本実施形態による携帯無線装置は、電力を無線で受信する電力受信部と、受信した電力を用いて認証処理のための情報送信、待機処理、情報受信および内部処理を順繰りに行う第１通信部と、受信した電力を用いて前記認証処理中にデータ通信のための無線通信を行う第２通信部と、前記第１通信部にて前記認証処理のための情報送信を開始してから前記認証処理のための情報受信が完了するまでの期間内に前記第２通信部にて前記データ通信を行うように制御する通信制御部と、を備える。
【図面の簡単な説明】
【０００９】
【図１】第１の実施形態による携帯無線装置１の概略構成を示すブロック図。
【図２】通信相手装置１１の概略構成を示すブロック図。
【図３】第１の実施形態における携帯無線装置１と通信相手装置１１との間で行われる認証処理のタイミング図。
【図４】第１の実施形態における携帯無線装置１と通信相手装置１１が行う近接無線通信のシーケンス図。
【図５】図４の一変形例のシーケンス図。
【図６】第２の実施形態における携帯無線装置１と通信相手装置１１との間で行われる認証処理のタイミング図。
【図７】第２の実施形態における携帯無線装置１と通信相手装置１１が行う近接無線通信のシーケンス図。
【図８】図７の一変形例によるシーケンス図。
【図９】第３の実施形態における携帯無線装置１と通信相手装置１１との間で行われる認証処理のタイミング図。
【図１０】第３の実施形態における携帯無線装置１と通信相手装置１１が行う近接無線通信のシーケンス図。
【図１１】図１０の一変形例によるシーケンス図。
【図１２】図９の一変形例によるタイミング図。
【図１３】図９の他の変形例によるタイミング図。
【図１４】第４の実施形態における携帯無線装置１と通信相手装置１１との間で行われる認証処理のタイミング図。
【図１５】第４の実施形態における携帯無線装置１と通信相手装置１１が行う近接無線通信のシーケンス図。
【図１６】図１５の一変形例によるシーケンス図。
【図１７】第５の実施形態による携帯無線装置１の概略構成を示すブロック図。
【図１８】図１７に対応した通信相手装置１１の概略構成を示すブロック図。
【図１９】第６の実施形態による携帯無線装置１の概略構成を示すブロック図。
【図２０】図１９の一変形例によるブロック図。
【発明を実施するための形態】
【００１０】
以下、図面を参照しながら、本発明の実施形態を説明する。
【００１１】
（第１の実施形態）
図１は第１の実施形態による携帯無線装置１の概略構成を示すブロック図である。図１の携帯無線装置１は、電力受信部２と、第１通信部３と、第２通信部４と、通信制御部５と、記憶部６とを備えている。
【００１２】
電力受信部２は、電力を無線で受信する。第１通信部３は、受信した電力を用いて認証処理のための情報送信、待機処理、情報受信および内部処理を順繰りに繰り返し行う。第２通信部４は、受信した電力を用いて認証処理中にデータ通信のための無線通信を行う。通信制御部５は、第１通信部３にて認証処理のための情報送信を開始してから認証処理のための情報受信が完了するまでの期間内に第２通信部４にてデータ通信を行うように制御する。
【００１３】
より具体的には、通信制御部５は、第１通信部３にて認証処理のための情報送信が完了してから認証処理のための情報受信を開始するまでの期間内に第２通信部４にてデータ通信を行うように制御する。この期間内は、認証処理における待機処理期間であり、携帯無線装置１の処理負荷が軽い期間である。
【００１４】
図１の携帯無線装置１は、通信相手装置との間で、例えば近接無線通信を行う。図２は通信相手装置１１の概略構成を示すブロック図である。図２に示す通信相手装置１１は、電力送信部１２と、第３通信部１３と、第４通信部１４と、記憶部１５とを有する。
【００１５】
電力送信部１２は、携帯無線装置１に対して電力を送信する。電力送信部１２が送信した電力は、携帯無線装置１内の電力受信部２で受信される。
【００１６】
第３通信部１３は、携帯無線装置１内の第１通信部３との間で認証処理のための無線通信を行う。第４通信部１４は、携帯無線装置１内の第２通信部４との間でデータ通信のための無線通信を行う。
【００１７】
第１通信部３と第３通信部１３を用いて行う認証処理は、いずれか一方の通信部が他方の通信部に認証処理のための情報を送信し終わった後に、他方の通信部から一方の通信部に認証処理のための情報を送信する処理を所定回数繰り返す。
【００１８】
図３は第１の実施形態における携帯無線装置１と通信相手装置１１との間で行われる認証処理のタイミング図である。図示のように、認証処理を行う携帯無線装置１内の第１通信部３と通信相手装置１１内の第３通信部１３は、認証処理に必要な情報の受信処理Ｒ、内部処理Ｐ、送信処理Ｔおよび待機処理Ｗを順繰りに繰り返す。
【００１９】
受信処理Ｒ、内部処理Ｐ、送信処理Ｔおよび待機処理Ｗの中で、最も消費電力が大きい処理は内部処理Ｐであり、最も消費電力が小さい処理は待機処理Ｗである。そこで、図３では、携帯無線装置１内の第２通信部４と通信相手装置１１内の第４通信部１４は、待機処理Ｗの期間中にデータ通信Ｄを行う。
【００２０】
図４は第１の実施形態における携帯無線装置１と通信相手装置１１が行う近接無線通信のシーケンス図である。
【００２１】
携帯無線装置１内の第１通信部３は通信相手装置１１内の第３通信部１３に対して認証処理に用いる情報の送信（認証通信）を行う（ステップＳ１）。この送信処理が終わると、携帯無線装置１内の第１通信部３は通信制御部５に対して送信完了通知を送信する（ステップＳ２）。これに応答して、通信制御部５は携帯無線装置１内の第２通信部４に通信開始要求を送信する（ステップＳ３）。
【００２２】
この通信開始要求に応答して、携帯無線装置１内の第２通信部４は通信相手装置１１内の第４通信部１４に対して通信開始要求を送信する（ステップＳ４）。この通信開始要求に応答して、通信相手装置１１内の第４通信部１４は携帯無線装置１内の第２通信部４に対して通信開始受託を送信する（ステップＳ５）。
【００２３】
次に、携帯無線装置１内の第２通信部４と通信相手装置１１内の第４通信部１４はデータ通信を行う（ステップＳ６）。
【００２４】
その後、通信相手装置１１内の第３通信部１３が携帯無線装置１内の第１通信部３に、認証処理に用いる情報を送信し、この情報が第１通信部３で受信されると（ステップＳ７）、第１通信部３は通信制御部５に対して、認証処理に用いる情報の受信を開始する通知（受信開始通知）を送信する（ステップＳ８）。
【００２５】
この受信開始通知に応答して、通信制御部５は携帯無線装置１内の第２通信部４にデータ通信の停止要求（通信停止要求）を送信する（ステップＳ９）。この通信停止要求に応じて、第２通信部４は、通信相手装置１１内の第４通信部１４にデータ通信の停止要求（通信停止要求）を送信する（ステップＳ１０）。この通信停止要求に応じて、通信相手装置１１内の第４通信部１４は携帯無線装置１内の第２通信部４に対して通信停止受託を送信する（ステップＳ１１）。これにより、携帯無線装置１内の第２通信部４と通信相手装置１１内の第４通信部１４との間で行われていたデータ通信は中止される。それ以降は、認証処理のみが行われる。
【００２６】
このように、図４では、認証処理に必要な情報を携帯無線装置１から通信相手装置１１に送信し終わった後、通信相手装置１１が送信した認証処理に必要な情報が携帯無線装置１で受信され始めるまでの待機処理の期間内に、携帯無線装置１内の第２通信部４と通信相手装置１１内の第４通信部１４とでデータ通信を行う。この待機処理の期間内は、携帯無線装置１は、負荷のかかる処理を行っていないことから、データ通信と認証処理を並行して行うことができ、データ通信を高速化することが可能となる。
【００２７】
図５は図４の一変形例のシーケンス図である。図４では、通信相手装置１１内の第３通信部１３が事前連絡もなく、認証処理に必要な情報の送信を開始した（ステップＳ７）のに対し、図５では、第３通信部１３が認証処理に必要な情報の送信を開始するのに先だって、第３通信部１３が第４通信部１４に情報の送信を開始する旨を通知し（ステップＳ１２）、この通知に応答して、第４通信部１４は認証処理に必要な情報の送信を開始する旨の通知（認証情報送信開始通知）を携帯無線装置１内の第２通信部４に送信する（ステップＳ１３）。
【００２８】
この通知を受けた第２通信部４は通信制御部５に対して、認証に必要な情報の受信を開始する旨の通知（受信開始通知）を送信する（ステップＳ１４）。その後は、図４のステップＳ９〜Ｓ１１と同様の処理を行う。
【００２９】
通信相手装置１１内の第４通信部１４は、携帯無線装置１内の第２通信部４に対して通信停止受託を送信した（ステップＳ１１）後に、第３通信部１３に対して、認証に必要な情報の送信要求（通信開始要求）を送信する（ステップＳ１５）。これに応答して、第３通信部１３は第１通信部３に対して、認証に必要な情報を送信する（ステップＳ７）。
【００３０】
このように、第１の実施形態による携帯無線装置１は、認証に必要な情報の送信が完了してから、認証に必要な情報の受信を開始するまでの待機処理の期間内に、通信相手装置１１とデータ通信を行うため、実質的に認証処理とデータ通信を並行して行うことができ、データ通信を迅速に開始でき、認証処理が完了するまでデータ通信を開始できないという不具合がなくなる。また、待機処理の期間内は、携帯無線装置１の処理負担は小さいため、この期間内にデータ通信を行っても、携帯無線装置１の処理負担が急増して消費電力が増大するというおそれもない。
【００３１】
（第２の実施形態）
以下に説明する第２の実施形態は、認証に必要な情報を送信している期間内もデータ通信を行うものである。
【００３２】
第２の実施形態による携帯無線装置１と通信相手装置１１の内部構成は、それぞれ図１および図２と同様であるため、説明を省略する。
【００３３】
図６は第２の実施形態における携帯無線装置１と通信相手装置１１との間で行われる認証処理のタイミング図である。
【００３４】
携帯無線装置１内の第２通信部４は、第１通信部３が認証に必要な情報の送信を開始してから、第１通信部３が認証に必要な情報の受信を開始するまでの期間、すなわち、認証に必要な情報の送信期間Ｔと待機処理の期間Ｗとを合わせた期間内に、通信相手装置１１内の第４通信部１４とデータ通信Ｄを行う。
【００３５】
図７は第２の実施形態における携帯無線装置１と通信相手装置１１が行う近接無線通信のシーケンス図である。以下では、図４と異なる処理を中心に説明する。
【００３６】
携帯無線装置１内の第１通信部３は通信制御部５に対して、認証に必要な情報の送信を開始する旨の通知（送信開始通知）を送信する（ステップＳ１６）。この通知に応答して、通信制御部５は第２通信部４に対して、データ通信の開始要求（通信開始要求）を送信する（ステップＳ３）。その後は、図４のステップＳ３〜Ｓ１１と同様の処理が行われる。
【００３７】
これにより、認証に必要な情報を送信する期間内と待機処理の期間内とにデータ通信を行うことができる。
【００３８】
図８は図７の一変形例によるシーケンス図である。図８は、図５と同様に、通信相手装置１１が認証に必要な情報の送信を開始する前に、認証に必要な情報の送信を開始する旨の通知を行うものである（ステップＳ１２〜Ｓ１４）。
【００３９】
このように、第２の実施形態では、認証に必要な情報を送信する期間内と待機処理の期間内とにデータ通信を行うため、認証処理の期間内にデータ通信を行う期間が第１の実施形態よりも長くなり、その分多くのデータを認証処理の期間内に送受できる。
【００４０】
（第３の実施形態）
以下に説明する第３の実施形態は、認証に必要な情報を受信している期間内もデータ通信を行うものである。
【００４１】
第３の実施形態による携帯無線装置１と通信相手装置１１の内部構成は、それぞれ図１および図２と同様であるため、説明を省略する。
【００４２】
図９は第３の実施形態における携帯無線装置１と通信相手装置１１との間で行われる認証処理のタイミング図である。
【００４３】
携帯無線装置１内の第２通信部４は、第１通信部３が認証に必要な情報の送信を完了してから、認証に必要な情報の受信を完了するまでの期間、すなわち、待機処理の期間Ｗと認証に必要な情報の受信期間Ｒとを合わせた期間内に、通信相手装置１１内の第４通信部１４とデータ通信を行う。
【００４４】
図１０は第３の実施形態における携帯無線装置１と通信相手装置１１が行う近接無線通信のシーケンス図である。以下では、図４と異なる処理を中心に説明する。
【００４５】
認証に必要な情報の送信が完了した後にデータ通信を開始するまでの手順は図４のステップＳ１〜Ｓ７と同様である。
【００４６】
携帯無線装置１内の第１通信部３は、認証に必要な情報の受信が完了すると、受信完了通知を通信制御部５に送信する（ステップＳ１７）。その後は、図４のステップＳ９〜Ｓ１１と同様の処理が行われる。
【００４７】
図１１は図１０の一変形例によるシーケンス図である。通信相手装置１１内の第３通信部１３は、認証に必要な情報の送信が完了する前に、送信が完了する旨の通知を第４通信部１４に送信する（ステップＳ１８）。この通知に応答して、第４通信部１４は携帯無線装置１内の第２通信部４に対して、認証に必要な情報の送信が完了した旨の通知（認証情報送信完了通知）を送信する（ステップＳ１９）。この通知に応答して、第２通信部４は通信制御部５に対して、認証に必要な情報の受信が完了した旨の通知を送信する（ステップＳ２０）。その後は、図４のステップＳ９〜Ｓ１１と同様の処理が行われる。
【００４８】
ところで、図９では、認証処理が開始された直後と認証処理が終了する直前であっても、認証に必要な情報を受信する期間内と待機処理の期間内であれば、データ通信を行っている。ところが、認証処理が開始された直後と認証処理が終了する直前は、携帯無線装置１の動作がまだ安定しておらず、正常にデータ通信が行える保障が得られない。
【００４９】
そこで、図１２に示すように、少なくとも認証処理が開始された直後は、認証に必要な情報を受信する期間Ｒ内であっても、データ通信を行わないようにしてもよい。
【００５０】
あるいは、図１３に示すように、少なくとも認証処理が終了する直前は、認証に必要な情報を受信する期間Ｒ内であっても、データ通信を行わないようにしてもよい。
【００５１】
このように、第３の実施形態では、認証に必要な情報を受信する期間内と待機処理の期間内とにデータ通信を行うため、認証処理の期間内にデータ通信を行う期間が第１の実施形態よりも長くなり、その分多くのデータを認証処理の期間内に送受できる。
【００５２】
（第４の実施形態）
以下に説明する第４の実施形態は、上述した第１〜第３の実施形態を組み合わせたものである。
【００５３】
第４の実施形態による携帯無線装置１と通信相手装置１１の内部構成は、それぞれ図１および図２と同様であるため、説明を省略する。
【００５４】
図１４は第４の実施形態における携帯無線装置１と通信相手装置１１との間で行われる認証処理のタイミング図である。
【００５５】
携帯無線装置１内の第２通信部４は、第１通信部３が認証に必要な情報の送信を開始してから、認証に必要な情報の受信を完了するまでの期間、すなわち、認証に必要な情報の送信期間Ｔと、待機処理の期間Ｗと、認証に必要な情報の受信期間Ｒとを合わせた期間内に、通信相手装置１１内の第４通信部１４とデータ通信を行う。
【００５６】
これにより、携帯無線装置１は、認証処理における内部処理の期間Ｐを除いて、通信相手装置１１とデータ通信を行うことになり、認証処理中の大部分の期間において通信相手装置１１とデータ通信を行うことから、携帯無線装置１と通信相手装置１１の間でのデータ通信を迅速化できる。
【００５７】
図１５は第４の実施形態における携帯無線装置１と通信相手装置１１が行う近接無線通信のシーケンス図である。以下では、図４と異なる処理を中心に説明する。
【００５８】
まず、図７のステップＳ１６と同様に、携帯無線装置１内の第１通信部３は通信制御部５に対して、認証に必要な情報の送信を開始する旨の通知（送信開始通知）を送信する（ステップＳ１６）。その後、図７のステップＳ３〜Ｓ７と同様の処理を行う。その後、図１０のステップＳ１７と同様に、携帯無線装置１内の第１通信部３は、認証に必要な情報の受信が完了すると、受信完了通知を通信制御部５に送信する（ステップＳ１７）。その後は、図４のステップＳ９〜Ｓ１１と同様の処理を行う。
【００５９】
図１６は図１５の一変形例によるシーケンス図である。図１１と同様に、通信相手装置１１内の第３通信部１３は、認証に必要な情報の送信が完了する前に、送信が完了する旨の通知を第４通信部１４に送信する（ステップＳ１８）。この通知に応答して、第４通信部１４は携帯無線装置１内の第２通信部４に対して、認証に必要な情報の送信が完了した旨の通知（認証情報送信完了通知）を送信する（ステップＳ１９）。この通知に応答して、第２通信部４は通信制御部５に対して、認証に必要な情報の受信が完了した旨の通知を送信する（ステップＳ２０）。その後は、図４のステップＳ９〜Ｓ１１と同様の処理が行われる。
【００６０】
このように、携帯無線装置１は、認証に必要な情報の送信期間と、待機処理の期間と、認証に必要な情報の受信期間とに、並行して通信相手装置１１とデータ通信を行うため、認証処理中の大部分の期間でデータ通信を並行して行うことができ、データ通信を迅速に開始してデータ通信に要する期間を短縮できる。
【００６１】
（第５の実施形態）
以下に説明する第５の実施形態は、上述した第１〜第４の実施形態による携帯無線装置１と通信相手装置１１の内部構成の一変形例を示す。
【００６２】
図１７は第５の実施形態による携帯無線装置１の概略構成を示すブロック図である。図１７の携帯無線装置１は、図１の構成に加えて、復号化部７を有する。この復号化部７は、通信相手装置１１から送信されて携帯無線装置１で受信された暗号化情報を復号する。復号化部７は、携帯無線装置１と通信相手装置１１との間での認証処理が正常に終了した後に、両装置間で互いに交換する鍵を用いて、暗号化情報を復号するようにしてもよい。
【００６３】
図１８は図１７に対応した通信相手装置１１の概略構成を示すブロック図である。図１８の通信相手装置１１は、図２の構成に加えて、暗号化部１６を有する。この暗号化部１６は、携帯無線装置１に受信する情報を暗号化した暗号化情報を生成する。この暗号化情報は、上述したように、携帯無線装置１と通信相手装置１１との間での認証処理が正常に終了した後に、両装置間で互いに交換する鍵を用いて暗号化してもよい。
【００６４】
このように、認証処理が正常に終了した場合に両装置間で交換される認証鍵を用いて、情報の暗号化と復号化を行うようにすれば、認証処理が正常に終了した装置間でのみ情報の送受ができることになり、有料コンテンツや著作権保護の必要なコンテンツの送受に利用できる。
【００６５】
図１７と図１８では、通信相手装置１１から携帯無線装置１に暗号化情報を送信する例を示したが、その逆に、携帯無線装置１から通信相手装置１１に暗号化情報を送信してもよい。この場合、携帯無線装置１内に暗号化部１６を設けて、通信相手装置１１内に復号化部７を設ければよい。
【００６６】
（第６の実施形態）
以下に説明する第６の実施形態は、上述した第１〜第４の実施形態による携帯無線装置１と通信相手装置１１の内部構成の他の変形例を示す。
【００６７】
図１９は第６の実施形態による携帯無線装置１の概略構成を示すブロック図である。図１９の携帯無線装置１は、図１の構成に加えて、蓄電部８を有する。
【００６８】
携帯無線装置１内の第２通信部４と通信相手装置１１内の第４通信部１４との間で行われるデータ通信は、携帯無線装置１内の第１通信部３と通信相手装置１１内の第３通信部１３との間で行われる認証処理よりも、伝送すべき情報量が多いため、高速な通信速度が要求される。
【００６９】
ところが、通信速度を高速化すると、一般に消費電力が増大する。上述した第１〜第４の実施形態では、無線で受信した電力を利用してデータ通信を行うことを想定しており、高速なデータ通信を行うには、電力が不足するおそれがある。
【００７０】
そこで、携帯無線装置１内に蓄電部８を設けて、電力受信部２が無線で受信した電力を蓄積する。第１通信部３と第２通信部４は、蓄電部８に蓄積された電力で駆動される。より詳細には、蓄電部８に蓄積された電力量が、第１通信部３と第２通信部４を駆動するのに十分な量になったときに、これら通信部に蓄電部８から電力が供給されて、これら通信部が動作を開始する。
【００７１】
図２０は図１９の一変形例によるブロック図である。図２０の携帯無線装置１は、高速のデータ通信を行う第２通信部４は蓄電部８からの蓄積電力で駆動し、低速の認証処理を行う第１通信部３は電力受信部２からの電力で駆動する。
【００７２】
図１９の場合、蓄電部８に蓄積された電力量が所定の基準量に達するまでは、認証処理とデータ通信の双方とも開始できなかったが、図２０の場合、蓄電部８に蓄積される電力量に関係なく、認証処理を開始できるため、認証処理の開始タイミングを早めることができる。
【００７３】
このように、第６の実施形態では、携帯無線装置１内に、電力受信部２で受信した電力を蓄積する蓄電部８を設けるため、高速のデータ通信を行うのに必要な電力を携帯無線装置１内で生成できる。
【００７４】
図１９および図２０は、図１の構成に蓄電部８を追加しているが、図１７の構成に蓄電部８を追加してもよい。
【００７５】
携帯無線装置１内の第１通信部３と通信相手装置１１内の第３通信部１３との間の近接無線通信は、ＮＦＣ（Near Field Communication）やＦｅｌｉｃａ（登録商標）のような電磁誘導を用いた非接触通信でもよいし、あるいはマイクロ波やミリ波を用いた無線通信、例えばＴｒａｎｓｆｅｒＪｅｔ、ＷｉＦｉ、ＵＷＢなどでもよい。
【００７６】
携帯無線装置１内の第２通信部４と通信相手装置１１内の第４通信部１４との間の近接無線通信も、上述した電磁誘導を用いた非接触通信、あるいはマイクロ波やミリ波を用いた無線通信でもよい。
【００７７】
上述した携帯無線装置１は、例えば、バッテリを内蔵または非内蔵のカード状の装置でもよいし、携帯電話、スマートフォン、タブレット端末、または携帯型ＰＣでもよい。通信相手装置１１は、例えば、リーダライタ端末でもよい。
【００７８】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７９】
１  携帯無線装置、２  電力受信部、３  第１通信部、４  第２通信部、５  通信制御部、６  記憶部、７  復号化部、８  蓄電部、１１  通信相手装置、１２  電力受信部、１３  第１通信部、１４  第２通信部、１５  記憶部、１６  暗号化部
【図１】
2014053810.tif 000003
【図２】
2014053810.tif 000004
【図３】
2014053810.tif 000005
【図４】
2014053810.tif 000006
【図５】
2014053810.tif 000007
【図６】
2014053810.tif 000008
【図７】
2014053810.tif 000009
【図８】
2014053810.tif 000010
【図９】
2014053810.tif 000011
【図１０】
2014053810.tif 000012
【図１１】
2014053810.tif 000013
【図１２】
2014053810.tif 000014
【図１３】
2014053810.tif 000015
【図１４】
2014053810.tif 000016
【図１５】
2014053810.tif 000017
【図１６】
2014053810.tif 000018
【図１７】
2014053810.tif 000019
【図１８】
2014053810.tif 000020
【図１９】
2014053810.tif 000021
【図２０】
2014053810.tif 000022